(57)【特許請求の範囲】
【請求項１】
テーブル上に平面形状が方形のグリーンシートを保持し、切断刃を下降させながらグリーンシートの表面に略平行に移動させることにより、グリーンシートを上面側から切断するグリーンシートの切断方法であって、
グリーンシートが回転することを防止するための回転防止用当接部材を、グリーンシートの、切断刃により切断される側の辺と直交する辺であって、切断刃がグリーンシートの表面に略平行に移動する場合における移動方向手前側の辺の側面の、切断される側の辺と逆側の辺に近い位置に当接させ、かつ、
グリーンシートの、切断刃により切断される側の辺と対向する辺の側面および回転防止用当接部材が当接する辺と対向する辺の側面にガイドを当接させることにより、
切断刃でグリーンシートを切断する工程において発生する応力によりグリーンシートが回転して位置ずれが生じることを阻止して、グリーンシートを所定の位置に保持しながら切断すること
を特徴とするグリーンシートの切断方法。
【請求項２】
テーブル上に平面形状が方形のグリーンシートを保持し、切断刃を下降させながらグリーンシートの表面に略平行に移動させることにより、グリーンシートを上面側から切断するグリーンシートの切断方法であって、
グリーンシートの主要部を覆う押圧部材によりグリーンシートをテーブルに押圧するとともに、グリーンシートが回転することを防止するための回転防止用当接部材を、グリーンシートの、切断刃により切断される側の辺と直交する辺であって、切断刃がグリーンシートの表面に略平行に移動する場合における移動方向手前側の辺の側面の、切断される側の辺と逆側の辺に近い位置に当接させ、かつ、
グリーンシートの、切断刃により切断される側の辺と対向する辺の側面および回転防止用当接部材が当接する辺と対向する辺の側面にガイドを当接させることにより、
切断刃でグリーンシートを切断する工程において発生する応力によりグリーンシートに位置ずれが生じることを阻止して、グリーンシートを所定の位置に保持しながら切断すること
を特徴とするグリーンシートの切断方法。
【請求項３】
前記押圧部材によりグリーンシートをテーブルに押圧する力の大きさが、グリーンシートに位置ずれが生じず、かつ、グリーンシートに大きな変形を引き起こさない範囲となるように、グリーンシートの寸法、形状、切断ピッチなどの切断条件に応じて、前記押圧部材の押圧力を調節しながら切断を行うことを特徴とする請求項２記載のグリーンシート切断方法。
【発明の詳細な説明】
【０００１】
【発明の属する技術分野】
本願発明は、グリーンシートの切断方法に関し、詳しくは、切断刃をグリーンシートに押圧しながら、切断刃をグリーンシートの表面に平行な方向に移動させてグリーンシートを切断する（引き切りする）方法に関する。
【０００２】
【従来の技術】
例えば、セラミックコンデンサなどのセラミック電子部品を製造する場合、その製造工程において、セラミックグリーンシート又はその積層体（以下、単に「グリーンシート」という）を所定の寸法に切断することが必要になる。
【０００３】
ところで、グリーンシートを切断するにあたって、従来は、例えば、図４及び図５に示すように、濾紙５６を敷いたテーブル５１上にグリーンシート５２を載置して、吸引あるいは接着などの方法によりグリーンシート５２を固定するとともに、グリーンシート５２の、互いに隣接する２つの辺の側面（端面）に当接するガイド５３ａ，５３ｂによりグリーンシート５２を所定の位置に保持し、切断刃５４をグリーンシート５２の表面に略平行に（図４，５の矢印Ａの方向に）移動させながら下方（矢印Ｂの方向）に移動（下降）させることにより、グリーンシート５２を上面側から所定の寸法となるように切断する方法が用いられている。なお、切断刃５４を矢印Ａの方向及び矢印Ｂの方向に移動させた場合、切断刃５４は、結果的に、斜め下方（図４に矢印Ｙで示す方向）に移動することになり、グリーンシート５２は斜め下方に移動する切断刃５４により切断されることになる。
また、ガイド５３ｂには、切断刃５４を逃がすための逃がし溝６３が所定の切断ピッチに対応する位置に配設されている。
【０００４】
【発明が解決しようとする課題】
しかし、上記従来の方法では、図５及び図６に示すように、グリーンシート５２には、切断刃５４を移動させる方向（Ａ方向）に力が作用するため、グリーンシート５２を端の方からカットすると、グリーンシート５２に働くＡ方向の力により、グリーンシート５２を矢印Ｘの方向に回転させるような力が働き、図６に示すように、グリーンシート５２に変形及び位置ずれが発生することになる。
【０００５】
そして、このグリーンシート５２の変形及び位置ずれにより、切断刃５４がグリーンシート５２に進入する入口側の部分（切断刃５４の移動方向手前側の部分）５２ａ（図６）では、グリーンシート５２が切断刃５４を変形（湾曲）させてしまい、結果として、図７(ａ)，(ｂ)に示すように、切断面５５が垂直な面となるように切断することができず、切断面５５が傾斜面となり、所望の形状及び寸法のセラミック成形体を切り出すことができなくなるという問題点がある。
【０００６】
本願発明は、上記問題点を解決するものであり、グリーンシートを、切断刃を用いて、所定の形状及び寸法に確実に切断することが可能なグリーンシートの切断方法を提供することを目的とする。
【０００７】
【課題を解決するための手段】
上記目的を達成するために、本願発明のグリーンシートの切断方法は、
テーブル上に平面形状が方形のグリーンシートを保持し、切断刃を下降させながらグリーンシートの表面に略平行に移動させることにより、グリーンシートを上面側から切断するグリーンシートの切断方法であって、
グリーンシートが回転することを防止するための回転防止用当接部材を、グリーンシートの、切断刃により切断される側の辺と直交する辺であって、切断刃がグリーンシートの表面に略平行に移動する場合における移動方向手前側の辺の側面の、切断される側の辺と逆側の辺に近い位置に当接させ、かつ、
グリーンシートの、切断刃により切断される側の辺と対向する辺の側面および回転防止用当接部材が当接する辺と対向する辺の側面にガイドを当接させることにより、切断刃でグリーンシートを切断する工程において発生する応力によりグリーンシートが回転して位置ずれが生じることを阻止して、グリーンシートを所定の位置に保持しながら切断すること
を特徴としている。
【０００８】
グリーンシートが回転することを防止するための回転防止用当接部材を、グリーンシートの、切断刃により切断される側の辺と直交する辺であって、切断刃がグリーンシートの表面に略平行に移動する場合における移動方向手前側の辺の側面の、切断される側の辺と逆側の辺に近い位置に当接させ、かつ、グリーンシートの、切断刃により切断される側の辺と対向する辺の側面および回転防止用当接部材が当接する辺と対向する辺の側面にガイドを当接させることにより、グリーンシートの位置ずれを防止して、グリーンシートを所定の位置で所定の形状及び寸法に確実に切断することが可能になる。
【０００９】
また、請求項２のグリーンシートの切断方法は、
テーブル上に平面形状が方形のグリーンシートを保持し、切断刃を下降させながらグリーンシートの表面に略平行に移動させることにより、グリーンシートを上面側から切断するグリーンシートの切断方法であって、
グリーンシートの主要部を覆う押圧部材によりグリーンシートをテーブルに押圧するとともに、グリーンシートが回転することを防止するための回転防止用当接部材を、グリーンシートの、切断刃により切断される側の辺と直交する辺であって、切断刃がグリーンシートの表面に略平行に移動する場合における移動方向手前側の辺の側面の、切断される側の辺と逆側の辺に近い位置に当接させ、かつ、
グリーンシートの、切断刃により切断される側の辺と対向する辺の側面および回転防止用当接部材が当接する辺と対向する辺の側面にガイドを当接させることにより、切断刃でグリーンシートを切断する工程において発生する応力によりグリーンシートに位置ずれが生じることを阻止して、グリーンシートを所定の位置に保持しながら切断すること
を特徴としている。
【００１０】
押圧部材によりグリーンシートをテーブルに押圧するとともに、回転防止用当接部材をグリーンシートの、上記所定の側面の上記所定の位置に当接させ、かつ、グリーンシートの、切断刃により切断される側の辺と対向する辺の側面および回転防止用当接部材が当接する辺と対向する辺の側面にガイドを当接させた状態でグリーンシートを切断することにより、より確実にグリーンシートの位置ずれを防止して、グリーンシートを所定の位置で所定の形状及び寸法に確実に切断することが可能になり、本願発明をさらに実効あらしめることができる。
【００１１】
また、請求項３のグリーンシートの切断方法は、前記押圧部材によりグリーンシートをテーブルに押圧する力の大きさが、グリーンシートに位置ずれが生じず、かつ、グリーンシートに大きな変形を引き起こさない範囲となるように、グリーンシートの寸法、形状、切断ピッチなどの切断条件に応じて、前記押圧部材の押圧力を調節しながら切断を行うことを特徴としている。
【００１２】
押圧部材による押圧力を、グリーンシートに位置ずれが生じず、かつ、グリーンシートに大きな変形を引き起こさない範囲となるように、グリーンシートの寸法、形状、切断ピッチなどの切断条件に応じて調節しながら切断することにより、さらに確実にグリーンシートに変形及び位置ずれが生じることを阻止して、グリーンシートを所定の位置で所定の形状及び寸法に確実に切断することが可能になり、本願発明をさらに実効あらしめることができる。
【００１３】
【発明の実施の形態】
以下、本願発明の実施の形態を示して、その特徴とするところをさらに詳しく説明する。
なお、図１は本願発明の一実施形態にかかるグリーンシートの切断方法を示す斜視図、図２は平面図である。
【００１４】
以下の実施形態では、セラミック電子部品の製造工程において、セラミックグリーンシートを積層、圧着した積層ブロック（以下、単に「グリーンシート」という）を切断する場合を例にとって説明する。
【００１５】
(１)まず、図１に示すように、テーブル１上に、濾紙６を敷き、その上にグリーンシート（積層ブロック）２を載置し、真空吸引することによりグリーンシート２をテーブル１上に保持するとともに、グリーンシート２の互いに隣接する２つの辺（２ｃ及び２ｄ）の側面（端面）に、グリーンシート２を所定の位置に保持するためのガイド３ａ，３ｂを当接させる。なお、ガイド３ｂには、切断刃４を逃がすための逃がし溝１３が所定の切断ピッチに対応する位置に配設されている。
【００１６】
(２)そして、グリーンシート２の主要部を覆う、平面形状が方形の押圧部材１０によりグリーンシート２をテーブル１に押圧して、グリーンシート２とテーブル１、及びグリーンシート２と押圧部材１０の間に生じる摩擦力により、グリーンシート２をテーブル２上に固定するとともに、切断工程でグリーンシート２が矢印Ｘ（図２）の方向に回転することを防止するための回転防止用当接部材１１を、グリーンシート２の、切断刃４により切断される側の辺２ａと直交する辺（であって、切断刃４がグリーンシート２の表面に略平行に移動する場合における移動方向手前側の辺）２ｂの側面の、切断される辺２ａと逆側の辺２ｃに近い位置に当接させる。
【００１７】
(３)それから、上記(２)の状態で、切断刃４をグリーンシート２の表面に略平行（図１の矢印Ａの方向）に移動させながら下方（図１の矢印Ｂの方向）に移動（下降）させることにより、グリーンシート２を上面側から切断する。
なお、この実施形態では、切断刃４をグリーンシート２の表面に略平行（矢印Ａの方向）に移動させながら下降させる（矢印Ｂの方向に移動させる）ようにしているので、切断刃４は、図１に矢印Ｙで示すように、斜め下方に移動することになり、グリーンシート２はこの斜め下方に移動する切断刃４により切断（引き切り）されることになる。
【００１８】
(４)その後、押圧部材１０と切断刃４を上昇させ、テーブル２を１ピッチ分だけ送ることにより、グリーンシート２をガイド３ａ，３ｂとともに１ピッチ分だけ移動させ、上記と同様にして、グリーンシート２を所定の位置で切断する。
【００１９】
なお、この実施形態では、押圧部材１０により、グリーンシート２を押圧する力をグリーンシート２の大きさにより調整して、グリーンシート２に位置ずれが生じず、かつ、グリーンシート２に大きな変形を引き起こさない範囲の所定の大きさの力でグリーンシート２を押圧しながら切断することができるようにしている。なお、押圧部材１０の押圧力を制御するための方法（機構）については特に制約はなく、公知の種々の方法を用いることが可能である。
【００２０】
上記実施形態では、押圧部材１０によりグリーンシート２をテーブル１に押圧して、グリーンシート２とテーブル１、及びグリーンシート２と押圧部材１０の間に生じる摩擦力によりグリーンシート２を所定の位置に保持するとともに、回転防止用当接部材１１をグリーンシート２の所定の辺２ｂの側面に当接させて、グリーンシート２が回転しないように保持した状態で切断刃４を動作させ、グリーンシート２を切断するようにしているので、グリーンシート２の位置ずれを確実に防止して、図３に示すように、グリーンシート２を所定の位置で切断面５が垂直になるように切断することができる。
【００２１】
すなわち、切断刃４を、図１の矢印Ｂの方向に移動させながら、グリーンシート２に進入させると、グリーンシート２に位置ずれを生じさせる力が作用するが、上記実施形態では、押圧部材１０及び回転防止用当接部材１１により、グリーンシート２が位置ずれを起こしたり回転したりすることを防止することが可能になり、グリーンシート２を所定の位置で、切断面５が斜めになったりしないように垂直に切断することが可能になる。
【００２２】
なお、上記実施形態では、押圧部材１０と回転防止用当接部材１１の両方を用いて、グリーンシート２が位置ずれを生じることを確実に防止するようにしているが、場合によっては、押圧部材１０と回転防止用当接部材１１のいずれか一方を用いるだけでも、グリーンシート２の位置ずれを防止して、グリーンシート２を所定の位置で、切断面が垂直になるように確実に切断することが可能である。
また、押圧部材１０は、グリーンシート２をテーブル１に押圧することによって、グリーンシート２とテーブル１の間、及びグリーンシート２と押圧部材１０の間に摩擦力を発生させるが、この摩擦力は、切断工程でグリーンシート２が矢印Ｘ（図２）の方向に回転することを防止する機能を果たす。
【００２３】
また、上記実施形態では、セラミック電子部品の製造工程において、セラミックグリーンシートを積層、圧着した積層ブロック（グリーンシート）を切断する場合を例にとって説明したが、セラミックグリーンシートを積層した積層ブロックに限らず、セラミックスラリーをシート状の所定の形状に成形した成形体や、その他の種々のグリーンシートを切断する場合に本願発明を適用することが可能である。
【００２４】
本願発明は、さらにその他の点においても上記実施形態に限定されるものではなく、押圧部材や回転防止用当接部材の形状や構造、切断刃の構成や動作態様などに関し、発明の要旨の範囲内において、種々の応用、変形を加えることが可能である。
【００２５】
【発明の効果】
上述のように、本願発明（請求項１）のグリーンシートの切断方法は、グリーンシートが回転することを防止するための回転防止用当接部材を、グリーンシートの所定の辺の側面の、切断される側の辺と逆側の辺に近い位置に当接させ、かつ、グリーンシートの、切断刃により切断される側の辺と対向する辺の側面および切断刃により切断される側の辺と対向する辺の側面および回転防止用当接部材が当接する辺と対向する辺の側面にガイドを当接させるようにしているので、グリーンシートが回転することにより発生する位置ずれを防止して、グリーンシートを所定の位置で所定の形状及び寸法に確実に切断することができる。
【００２６】
また、本願発明（請求項２）のグリーンシートの切断方法は、押圧部材によりグリーンシートをテーブルに押圧するとともに、回転防止用当接部材をグリーンシートの上記所定の側面の、切断される側の辺と逆側の辺に近い位置に当接させ、かつ、グリーンシートの、切断刃により切断される側の辺と対向する辺の側面および切断刃により切断される側の辺と対向する辺の側面および回転防止用当接部材が当接する辺と対向する辺の側面にガイドを当接させた状態でグリーンシートを切断するようにしているので、より確実にグリーンシートの位置ずれを防止して、グリーンシートを所定の位置で所定の形状及び寸法に確実に切断することが可能になり、本願発明をさらに実効あらしめることができる。
【００２７】
また、請求項３のグリーンシートの切断方法のように、押圧部材による押圧力を、グリーンシートに位置ずれが生じず、かつ、グリーンシートに大きな変形を引き起こさない範囲となるように、グリーンシートの寸法、形状、切断ピッチなどの切断条件に応じて調節しながら切断するようにした場合、さらに確実にグリーンシートに変形及び位置ずれが生じることを阻止して、グリーンシートを所定の位置で所定の形状及び寸法に確実に切断することが可能になり、本願発明をさらに実効あらしめることができる。
【図面の簡単な説明】
【図１】  本願発明の一実施形態（実施形態１）にかかるグリーンシートの切断方法を示す斜視図である。
【図２】  本願発明の一実施形態（実施形態１）にかかるグリーンシートの切断方法を示す平面図である。
【図３】  本願発明の一実施形態にかかる方法により切断されたグリーンシートの要部を示す正面図である。
【図４】  従来のグリーンシートの切断方法を示す斜視図である。
【図５】  従来のグリーンシートの切断方法を示す平面図である。
【図６】  従来のグリーンシートの切断方法により切断する場合に生じるグリーンシートの変形及び位置ずれの状態を示す平面図である。
【図７】  従来のグリーンシートの切断方法により切断した場合にグリーンシートに生じた変形の状態を示す図であり、(ａ)は斜視図、(ｂ)は正面図である。
【符号の説明】
１            テーブル
２            グリーンシート
２ａ          グリーンシートの切断される側の辺
２ｂ          グリーンシートの切断される側の辺と直交する辺
２ｃ          グリーンシートの切断される辺と逆側の辺
２ｄ          グリーンシートの切断される側の辺と直交する辺
３ａ，３ｂ    ガイド
４            切断刃
５            切断面
６            濾紙
１０          押圧部材
１１          回転防止用当接部材
１３          ガイドに形成された切断刃の逃がし溝
【図１】
0004348764.tif 000002
【図２】
0004348764.tif 000003
【図３】
0004348764.tif 000004
【図４】
0004348764.tif 000005
【図５】
0004348764.tif 000006
【図６】
0004348764.tif 000007
【図７】
0004348764.tif 000008